(57)【要約】【課題】製造コストを抑えることで製品の低価格化を実現することができ、かつ自転車から容易に着脱可能な使い勝手の良い自転車用サーフボードキャリアを提供する。【解決手段】サーフボード保持部１０と、サーフボード保持部１０を自転車のフレームの支柱部分に着脱自在に取り付け可能とする保持部固定ブラケット３０を有し、サーフボード保持部１０は、第１のボード保持部１００と、第１のボード保持部１００の直線状に延在する第１の延在部１１２に同じく直線状に延在する第２の折れ曲がり部２１１が溶接固定された第２のボード保持部２００を有し、蝶ネジを締め付けてサーフボード保持部を保持部固定ブラケットに取り付けるとともに、蝶ネジを緩めてサーフボード保持部を保持部固定ブラケットから外すようになっている。【選択図】図２
0003209397.tif 000002
【実用新案登録請求の範囲】
【請求項１】
自転車に着脱自在に取付け可能な自転車用サーフボードキャリアであって、
サーフボード保持部と、前記サーフボード保持部を自転車のフレームの支柱部分に着脱自在に取り付け可能とする保持部固定ブラケットを有し、
前記サーフボード保持部は、第１のボード保持部と、当該第１のボード保持部に所定部分において溶接固定された第２のボード保持部を有し、
第１のボード保持部は、略Ｕ字型に折れ曲がった第１の折れ曲がり部と当該第２の折れ曲がり部分の一端から直線状に延在する第１の延在部を有する第１の保持パイプと、前記第１の折れ曲がり部の周囲に被せられたサーフボード保持及び保護用の第１のボードクッション部を備え、かつ前記第１の折れ曲がり部の他端には先端にフックの付いたボード脱落防止用の第１のフック付きゴムコードが備わり、
第２のボード保持部は、略Ｕ字型に折れ曲がった第２の折れ曲がり部と当該第２の折れ曲がり部分の一端から直線状に延在する第２の延在部を有する第２の保持パイプと、前記第２の折れ曲がり部の周囲に被せられたサーフボード保持及び保護用の第２のボードクッション部を備え、かつ前記第２の折れ曲がり部の他端には先端にフックの付いたボード脱落防止用の第２のフック付きゴムコードが備わり、
前記第１の延在部は、前記第２の延在部よりも長手方向に長くなっていると共に、前記第１の延在部の長手方向に沿ってその第１の折れ曲がり部側近傍の一部に第２の延在部が所定の溶接位置で溶接固定され、
前記第１の延在部の前記溶接位置よりも更に延在した部分の所定位置にボルト取り付け孔が形成され、
前記保持部固定ブラケットは、第１の保持ブラケットと、第２の保持ブラケットを有し、締結ボルトを介して前記第１の保持ブラケットと第２の保持ブラケットを前記自転車のフレームの支柱部分に固定するようになっており、
前記第１の保持ブラケットには、前記第１の延在部を挿通する挿通穴が備わると共に、前記保持部固定ブラケットを前記自転車のフレームの支柱部分に固定したまま前記第１の保持ブラケットの挿通孔に前記第１の延在部を挿通した状態で前記第１の延在部を前記第１の保持ブラケットに蝶ネジのねじ込み可能なメスネジ部が第１のブラケットに備わり、前記蝶ネジのねじ込みによって前記第１の延在部を前記保持部固定ブラケットに固定した状態で前記サーフボード保持部を前記自転車に取り付けると共に、前記蝶ネジのねじ込みの緩めによって前記第１の延在部を前記保持ブラケットから引き抜き可能な状態で前記サーフボード保持部を前記自転車から取り外し可能になっており、
前記自転車用サーフボードキャリアを自転車に取り付けた状態で見て、サーフボードを横向きに立てた状態で前記第１のボード保持部の第１の折れ曲がり部及び前記第２のボード保持部の第２の折れ曲がり部によって前記サーフボードの下側側部及び表面並びに裏面を前記サーフボードの長手方向異なる位置で挟んだ状態で保持可能となっており、かつ前記第１のフック付きゴムコードのフックと前記第２のフック付きゴムコードのフックを各フック付きゴムコードの伸縮部分が前記自転車用サーフボードキャリアに取り付けられたサーフボードの上側側部を押さえながら所定位置に係合させた状態で前記サーフボードキャリアからの前記サーフボードの脱落を防止するようになったことを特徴とする自転車用サーフボードキャリア。
【考案の詳細な説明】
【技術分野】
【０００１】
本考案は、自転車のフレームの支柱部分に着脱自在に取り付けることができる自転車用サーフボードキャリアに関する。
【背景技術】
【０００２】
自転車に乗りながら近くのサーフポイントまで行くにあたって、自転車のフレームの支柱部分に固定され、サーフボードを横向きにしてかつ立てた状態で保持しながら自転車に乗って移動可能な自転車用サーフボードキャリアが知られている（例えば特許文献１参照）。
【先行技術文献】
【特許文献】
【０００３】
【特許文献１】実用新案登録第３０７９５１６号公報
【考案の概要】
【考案が解決しようとする課題】
【０００４】
このようにサーフボードキャリアを自転車に取り付けたまま例えばマンションの狭い駐輪場等においておくと、日常生活で常に自転車を使用する他のマンションの居住者が自分たちの自転車を出し入れする際に邪魔になり迷惑がかかることがある。
【０００５】
そのため、サーフィンから帰ってきてサーフボードを自宅内にしまう場合や、マンションの通路等に邪魔にならないように横にして立てておくような場合に、サーフボードキャリアも一緒に自転車から外して自宅内にしまっておくのが好ましい。
【０００６】
しかしながら、上述したサーフボードキャリアのサーフボード保持部は２つの固定ブラケットに蝶ネジ等の締結部によってねじ止めされているため、２つのサーフボード保持部を、それぞれ蝶ネジを締めたり緩めたりすることで１つずつ着脱しなければならず、手間を要する。
【０００７】
具体的には、上述のような構造によると、サーフボードキャリアを自転車から取り外すにあたって、互いに平行に取り付けられた２つのサーフボード保持具を２つの固定ブラケットからそれぞれの蝶ネジを緩ませながら引き抜かなければならず、面倒である。また、サーフボードを保持したままサーフボード保持具を一度に引き離そうとすると、いずれかの保持具の一部が誤って地面に落ちてサーフボードの先端や後端を傷つけてしまう虞もある。従って上述のような理由から、サーフボード保持部は固定ブラケットに固定したままとするのが一般的である。
【０００８】
このような欠点を防止するために、２つのサーフボード保持部のうち、他方のサーフボード保持部のパイプ延在部を一方のサーフボード保持部のパイプ延在部に溶接固定することで、一方のサーフボード保持部のパイプ延在部のみを固定ブラケットに固定した状態で、サーフボードキャリアを自転車に取り付けた際にサーフボード保持部の向きが側面視で略Ｖ字型になるような構造の自転車用サーフボードキャリアも考えられる。
【０００９】
しかしながら、このような構造のサーフボードキャリアにおいて、パイプの溶接部分の近傍に余分な折り曲げ加工を行ったりすると、製造コストが高くついて製品自体の値段も高くなる。
【００１０】
上述のようなサーフボードキャリアを使用したり保管したりする地域はたいてい海岸の近くなので、例えばパイプのメッキ部に傷がついたりすると塩害によりその部分がすぐに錆びてしまい、後者の自転車用サーフボードキャリアをせっかく高いお金を払って購入したとしても、そのサビの発生等によりサーフボードキャリアの見栄えが低下して使用者を落胆させてしまう。
【００１１】
本考案の目的は、製造コストを抑えることで製品の低価格化を実現することができ、かつ自転車から容易に着脱可能な使い勝手の良い自転車用サーフボードキャリアを提供することにある。
【課題を解決するための手段】
【００１２】
上記目的を達成するために本考案に係る自転車用サーフボードキャリアは、
自転車に着脱自在に取付け可能な自転車用サーフボードキャリアであって、
サーフボード保持部と、前記サーフボード保持部を自転車のフレームの支柱部分に着脱自在に取り付け可能とする保持部固定ブラケットを有し、
前記サーフボード保持部は、第１のボード保持部と、当該第１のボード保持部に所定部分において溶接固定された第２のボード保持部を有し、
第１のボード保持部は、略Ｕ字型に折れ曲がった第１の折れ曲がり部と当該第２の折れ曲がり部分の一端から直線状に延在する第１の延在部を有する第１の保持パイプと、前記第１の折れ曲がり部の周囲に被せられたサーフボード保持及び保護用の第１のボードクッション部を備え、かつ前記第１の折れ曲がり部の他端には先端にフックの付いたボード脱落防止用の第１のゴムコードが備わり、
第２のボード保持部は、略Ｕ字型に折れ曲がった第２の折れ曲がり部と当該第２の折れ曲がり部分の一端から直線状に延在する第２の延在部を有する第２の保持パイプと、前記第２の折れ曲がり部の周囲に被せられたサーフボード保持及び保護用の第２のボードクッション部を備え、かつ前記第２の折れ曲がり部の他端には先端にフックの付いたボード脱落防止用の第２のフック付きゴムコードが備わり、
前記第１の延在部は、前記第２の延在部よりも長手方向に長くなっていると共に、前記第１の延在部の長手方向に沿ってその第１の折れ曲がり部側近傍の一部に第２の延在部が所定の溶接位置で溶接固定され、
前記第１の延在部の前記溶接位置よりも更に延在した部分の所定位置にボルト取り付け孔が形成され、
前記保持部固定ブラケットは、第１の保持ブラケットと、第２の保持ブラケットを有し、締結ボルトを介して前記第１の保持ブラケットと第２の保持ブラケットを前記自転車のフレームの支柱部分に固定するようになっており、
前記第１の保持ブラケットには、前記第１の延在部を挿通する挿通穴が備わると共に、前記保持部固定ブラケットを前記自転車のフレームの支柱部分に固定したまま前記第１の保持ブラケットの挿通孔に前記第１の延在部を挿通した状態で前記第１の延在部を前記第１の保持ブラケットに蝶ネジのねじ込み可能なメスネジ部が第１のブラケットに備わり、前記蝶ネジのねじ込みによって前記第１の延在部を前記保持部固定ブラケットに固定した状態で前記サーフボード保持部を前記自転車に取り付けると共に、前記蝶ネジのねじ込みの緩めによって前記第１の延在部を前記保持部固定ブラケットから引き抜き可能な状態で前記サーフボード保持部を前記自転車から取り外し可能になっており、
前記自転車用サーフボードキャリアを自転車に取り付けた状態で見て、サーフボードを横向きに立てた状態で前記第１のボード保持部の第１の折れ曲がり部及び前記第２のボード保持部の第２の折れ曲がり部によって前記サーフボードの下側側部及び表面並びに裏面を前記サーフボードの長手方向異なる位置で挟んだ状態で保持可能となっており、かつ前記第１のフック付きゴムコードのフックと前記第２のフック付きゴムコードのフックを各フック付きゴムコードの伸縮部分が前記自転車用サーフボードキャリアに取り付けられたサーフボードの上側側部を押さえながら所定位置に係合させた状態で前記サーフボードキャリアからの前記サーフボードの脱落を防止するようになったことを特徴としている。
【考案の効果】
【００１３】
本考案によると、製造コストを抑えることで製品の低価格化を実現することができ、かつ自転車から容易に着脱可能な使い勝手の良い自転車用サーフボードキャリアを提供することができる。
【図面の簡単な説明】
【００１４】
【図１】本考案の一実施形態に係る自転車用サーフボードキャリアを自転車のサドルの下のパイプ部分に取り付けた状態を示す斜視図である。
【図２】図１に示した自転車用サーフボードキャリアの各構成要素を分解して示す斜視図である。
【図３】図２に示した保持部固定用ブラケットを拡大して示す分解斜視図である。
【図４】図２に示したサーフボードキャリアを自転車の支柱部分に取り付けた状態を部分的に拡大して示す斜視図である。
【図５】図１に示した自転車用サーフボードキャリアを自転車に取付けてサーフボードを自転車で実際に運ぶ状態を示す側面図である。
【考案を実施するための形態】
【００１５】
以下、本考案の一実施形態に係る自転車用サーフボードキャリア（以下、適宜「自転車用サーフボードキャリア」又は単に「サーフボードキャリア」とする）について図面に基づいて説明する。図１は、本考案の一実施形態に係る自転車用サーフボードキャリアを自転車のサドルの下の支柱部分に取り付けた状態を示す斜視図である。また、図２は、図１に示したサーフボードキャリアの各構成要素を分解して示す斜視図である。また、図３は、図２に示した保持部固定用ブラケットを拡大して示す分解斜視図である。また、図４は、図２に示したサーフボードキャリアを自転車の支柱部分に取り付けた状態を部分的に拡大して示す斜視図である。また、図５は、図１に示したサーフボードキャリア１を自転車に取付けてサーフボードを自転車で実際に運ぶ状態を示す側面図である。
【００１６】
本実施形態に係る自転車用サーフボードキャリア１は、自転車に着脱自在に取付け可能なサーフボードキャリアであって、サーフボード保持部１０と、サーフボード保持部１０を自転車５のフレーム５０の支柱部分５１に着脱自在に取り付け可能とする保持部固定ブラケット３０を有している。
【００１７】
サーフボード保持部１０は、第１のボード保持部１００と、第１のボード保持部１００に所定部分において溶接固定された第２のボード保持部２００を有している。
【００１８】
第１のボード保持部１００は、第１の保持パイプ１１０と、第１の保持パイプ１１０に備わる第１のボードクッション部１２０と、第１のフック付きゴムコード１３０を有している。
【００１９】
第１の保持パイプ１１０は、第１のボードクッション部１２０を備え略Ｕ字型に折れ曲がった第１の折れ曲がり部１１１と、第１の折れ曲がり部１１１の一端から直線状に延在する第１の延在部１１２を有している。そして、第１のボードクッション部１２０は、第１の保持パイプ１１０の第１の折れ曲がり部１１１の周囲に抜けることなく被せられ、サーフボード保持及び保護の役目を果たしている。また、第１のフック付きゴムコード１３０は、第１の折れ曲がり部１１１の他端に一端が取り付けられ、その他端の先端にはボード押さえ用フック１３２が備わっている。また、第１の折れ曲がり部１１１の他端は、プラスチック製のキャップ１４０で塞がっている。
【００２０】
第２のボード保持部２００は、第２の保持パイプ２１０と、第２の保持パイプ２１０に備わる第２のボードクッション部２２０と、第２のフック付きゴムコード２３０を有している。
【００２１】
第２の保持パイプ２１０は、第２のボードクッション部２２０を備え略Ｕ字型に折れ曲がった第２の折れ曲がり部２１１と、第２の折れ曲がり部２１１の一端から直線状に延在する第２の延在部２１２を有している。そして、第２のボードクッション部２２０は、第２の保持パイプ２１０の第２の折れ曲がり部２１１の周囲に抜けることなく被せられ、サーフボード保持及び保護の役目を果たしている。また、第２のフック付きゴムコード２３０は、第２の折れ曲がり部２１１の他端に一端が取り付けられ、その他端の先端にはボード押さえ用のボード押さえ用フックが備わっている。また、第２の折れ曲がり部２１１の他端は、プラスチック製のキャップ２４０で塞がっている。
【００２２】
そして、軸線が直線状をなす第１の延在部１１２は、同じく軸線が直線状をなす第２の延在部２１２よりも長手方向に長くなっていると共に、第１の延在部１１２の長手方向に沿ってその第１の折れ曲がり部１１１の近傍の一部に第２の延在部２１２が所定の溶接位置Ｗｓ（図３及び図４参照）で溶接固定されている。
【００２３】
保持部固定ブラケット３０は、２箇所にボルト締結用メスネジ部３１１を有した第１の保持ブラケット３１０と、上述のボルト締結用メスネジ部３１１に対応する位置にそれぞれボルト貫通用メスネジ部３２１を有した第２の保持ブラケット３２０を有している。また、第１の保持ブラケット３１０及び第２の保持ブラケット３２０は、長手方向略中央部が平面視半円状に折り曲げられた半円状折り曲げ部３１３，３２３を有し、この半円状折り曲げ部３１３，３２３を合わせて両者を結合した状態で締結ボルト３０５，３０６を介して第１の保持ブラケット３１０と第２の保持ブラケット３２０を自転車５のフレーム５０の支柱部分５１に固定するようになっている。
【００２４】
なお、第１の保持ブラケット３１０には、第１の延在部１１２を挿通する延在部挿通孔３１５，３１６が備わると共に、保持部固定ブラケット３０を自転車５のフレーム５０の支柱部分５１に固定したまま第１の保持ブラケット３１０に第１の延在部１１２は保持部固定ブラケット３０の挿通した状態で第１の延在部１１２を第１の保持ブラケット３１０に蝶ネジ３４０で固定可能な蝶ネジねじ込み用メスネジ部３１２が備わっている。
【００２５】
そして、蝶ネジねじ込み用メスネジ部３１２に蝶ネジ３４０をねじ込むことで、蝶ネジ３４０の先端が第１の延在部１１２に押し付けられると共に、これに伴って第１の延在部１１２が保持部固定ブラケット３０の延在部挿通孔３１５，３１６の内周面の一部にそれぞれ押し付けられ、３点で確実に固定されることでサーフボード保持部１０を自転車５にしっかりと取り付けると共に、蝶ネジ３４０のねじ込みを緩めることで第１の延在部１１２を保持ブラケットに引き抜きできる状態でサーフボード保持部１０を自転車５から取り外すようになっている。
【００２６】
このようにして、図１に示すように、自転車用サーフボードキャリア１を自転車５に取り付けた状態で見て、サーフボードを横向きに立てた状態で第１のボード保持部１００の第１の折れ曲がり部１１１及び第２のボード保持部２００の第２の折れ曲がり部２１１によってサーフボード７の下側側部及び表面並びに裏面をサーフボード７の長手方向異なる位置で挟んだ状態で保持するようになっている。
【００２７】
更に、各ゴムコード本体１３１，２３１の伸縮部分が自転車用サーフボードキャリア１に取り付けられたサーフボード７の上側側部を押さえながら、第１のフック付きゴムコード１３０のボード押さえ用フック１３２と第２のフック付きゴムコード２３０のフック２３２を例えば第１の延在部１１２の所定位置に係合させることで、自転車５でサーフボードを運ぶ際に自転車用サーフボードキャリア１からサーフボード７が脱落するのを防止している。
【００２８】
なお、各構成要素の材質については、本実施形態では以下の通りとなっている。第１の保持パイプ１１０及び第２の保持パイプ２１０は、鉄製パイプからできており、これら互いに溶接した後、それら全部をメッキ槽に浸漬して表面全体に錆び防止用のメッキを施している。また、第１の折れ曲がり部１１１に巻かれた第１のボードクッション部１２０と第２の折れ曲がり部２１１に巻かれた第２のボードクッション部２２０は、ボードを保護するための柔らかい樹脂でできたクッション材で形成されている。また、保持部固定ブラケット３０は、塩害に伴う耐食性に優れた鋼鉄材でできている。また、第１のフック付きゴムコード１３０と第２のフック付きゴムコード２３０は、自転車５でサーフボード７を搬送中、サーフボード７をしっかりと保持する十分な弾性力を有した例えばゴムの紐等でできた伸縮自在なゴムコード本体１３１，２３１と、ゴムコード本体１３１，２３１の一方の端部に備わり第１の延在部１１２などに引っ掛けることができる樹脂製のフックでできている。しかしながら、本考案の作用を発揮できれば上述の材質に限定されることは無い。
【００２９】
以下に本考案に係る自転車用サーフボードキャリアの作用について説明する。本考案に係る自転車用サーフボードキャリアによると、製造コストを抑えることで製品の低価格化を実現することができ、かつ自転車から容易に着脱可能な使い勝手の良い自転車用サーフボードキャリアを提供することができる。
【００３０】
また、本考案に係る自転車用サーフボードキャリアによると、第１のパイプ延在部と第２のパイプ延在部が共に直線状に延在しており、これらお互いに並列に並べて接触した状態で溶接するようになっているので、第２のパイプ延在部をわざわざ折り曲げる必要がなく、製造コストを抑えることができる。
【００３１】
また、本考案に係る自転車用サーフボードキャリアによると、サーフボード保持部を固定ブラケットから取外す際に蝶ネジを用いているので、例えば冬にサーフィンを楽しみ、自転車で帰宅した際に、寒さで指が悴んでいても、蝶ネジを少しだけ回すだけでサーフボード保持部を固定ブラケットから容易に引き離すことができるので、使い勝手が良い。
【００３２】
また、サーフィン中にサーフボードの一部を破損した場合などにおいて、本考案に係る自転車用サーフボードキャリアを利用してボードのスタンドがわりにすることで、サーフボードを床面やコンクリート面に直接置いたりすることなく市販のリペアキットやリペアテープで修理することができるので、サーフボードを余計に傷めることなくきれいに修理することができる。
【００３３】
また、本考案に係る自転車用サーフボードキャリアによると、製品価格が安く収まるので、通常の自転車用サーフボードキャリア以外の用途として余分に購入することが無理なくできる。
【００３４】
具体的には、例えばお気に入りのサーフボードを何枚か持っている場合、普段使わないサーフボードを室内のインテリアとして横向きかつ若干傾けた状態で飾っておく際のサーフボードスタンドとしても利用できる。この際、本考案に係るサーフボードキャリアが上述した構成を有することで、サーフボードの側縁のエッジ部分やボトム部分を直接部屋の床面に押し当てなくて済むので、サーフボード自体が痛むのを防止することができる。また、本考案に係るサーフボードキャリアにお気に入りのボードを挟み込んで床面などにおいて保管しておくことで、インテリアの一部として室内で過ごす日常生活においても楽しむことができると共に、その飾ってあるサーフボードで上手に波に乗れた時の思い出に浸りながらお酒を嗜んだりして有意義な一時を過ごすことができる。
【００３５】
更には例えば壁面にサーフボードを立てかけた際に部屋の掃除等の際に誤ってお気に入りの大切なサーフボードを倒してしまい破損させしまうようなことも防止できる。
【００３６】
なお、上述の実施形態は、あくまで本考案の一例を示すもので、本考案の範囲を逸脱しなければ上述のような寸法、材質、形状に本考案を限定する必要はなく、適宜設計変更を可能とすることは言うまでもない。
【符号の説明】
【００３７】
１    サーフボードキャリア
５    自転車
７    サーフボード
１０    サーフボード保持部
３０    保持部固定ブラケット
５０    フレーム
５１    支柱部分
１００    第１のボード保持部
１１０    第１の保持パイプ
１１１    第１の折れ曲がり部
１１２    第１の延在部
１１２ｂ    メスネジ部
１２０    第１のボードクッション部
１３０    第１のフック付きゴムコード
１３１    ゴムコード本体
１３２    ボード押さえ用フック
１４０    キャップ
２００    第２のボード保持部
２１０    第１の保持パイプ
２１１    第２の折れ曲がり部
２１２    第２の延在部
２２０    第２のボードクッション部
２３０    第２のフック付きゴムコード
２３１    ゴムコード本体
２３２    ボード押さえ用フック
２４０    キャップ
３１１    ボルト締結用メスネジ部
３１０    第１の保持ブラケット
３１２    蝶ネジねじ込み用メスネジ部
３１３    半円状折り曲げ部
３１５，３１６    延在部挿通孔
３２０    第２の保持ブラケット
３２１    ボルト貫通用メスネジ部
３２３    半円状折り曲げ部
３４０    蝶ネジ
【図１】
0003209397.tif 000003
【図２】
0003209397.tif 000004
【図３】
0003209397.tif 000005
【図４】
0003209397.tif 000006
【図５】
0003209397.tif 000007
【手続補正書】
【提出日】平成29年1月11日(2017.1.11)
【手続補正１】
【補正対象書類名】実用新案登録請求の範囲
【補正対象項目名】全文
【補正方法】変更
【補正の内容】
【実用新案登録請求の範囲】
【請求項１】
自転車に着脱自在に取付け可能な自転車用サーフボードキャリアであって、
サーフボード保持部と、前記サーフボード保持部を自転車のフレームの支柱部分に着脱自在に取り付け可能とする保持部固定ブラケットを有し、
前記サーフボード保持部は、第１のボード保持部と、当該第１のボード保持部に所定部分において溶接固定された第２のボード保持部を有し、
前記第１のボード保持部は、略Ｕ字型に折れ曲がった第１の折れ曲がり部と当該第１の折れ曲がり部の一端から直線状に延在する第１の延在部を有する第１の保持パイプと、前記第１の折れ曲がり部の周囲に被せられたサーフボード保持及び保護用の第１のボードクッション部を備え、かつ前記第１の折れ曲がり部の他端には先端にフックの付いたボード脱落防止用の第１のフック付きゴムコードが備わり、
前記第２のボード保持部は、略Ｕ字型に折れ曲がった第２の折れ曲がり部と当該第２の折れ曲がり部の一端から直線状に延在する第２の延在部を有する第２の保持パイプと、前記第２の折れ曲がり部の周囲に被せられたサーフボード保持及び保護用の第２のボードクッション部を備え、かつ前記第２の折れ曲がり部の他端には先端にフックの付いたボード脱落防止用の第２のフック付きゴムコードが備わり、
前記第１の延在部は、前記第２の延在部よりも長手方向に長くなっていると共に、前記第１の延在部の長手方向に沿ってその第１の折れ曲がり部側近傍の一部に前記第２の延在部が所定の溶接位置で溶接固定され、
前記第１の延在部の前記溶接位置よりも更に延在した部分の所定位置にボルト取り付け孔が形成され、
前記保持部固定ブラケットは、第１の保持ブラケットと第２の保持ブラケットを有し、締結ボルトを介して前記第１の保持ブラケットと前記第２の保持ブラケットを前記自転車のフレームの支柱部分に固定するようになっており、
前記第１の保持ブラケットには、前記第１の延在部を挿通する挿通孔が備わると共に、前記保持部固定ブラケットを前記自転車のフレームの支柱部分に固定したまま前記第１の保持ブラケットの挿通孔に前記第１の延在部を挿通した状態で前記第１の延在部を前記第１の保持ブラケットに蝶ネジで固定可能な蝶ネジねじ込み用メスネジ部が備わり、前記蝶ネジのねじ込みによって前記第１の延在部を前記保持部固定ブラケットに固定した状態で前記サーフボード保持部を前記自転車に取り付けると共に、前記蝶ネジのねじ込みの緩めによって前記第１の延在部を前記第１の保持ブラケットから引き抜き可能な状態で前記サーフボード保持部を前記自転車から取り外し可能になっており、
前記自転車用サーフボードキャリアを自転車に取り付けた状態で見て、サーフボードを横向きに立てた状態で前記第１のボード保持部の第１の折れ曲がり部及び前記第２のボード保持部の第２の折れ曲がり部によって前記サーフボードの下側側部及び表面並びに裏面を前記サーフボードの長手方向異なる位置で挟んだ状態で保持可能となっており、かつ前記第１のフック付きゴムコードのフックと前記第２のフック付きゴムコードのフックを各フック付きゴムコードの伸縮部分が前記自転車用サーフボードキャリアに取り付けられたサーフボードの上側側部を押さえながら所定位置に係合させた状態で前記自転車用サーフボードキャリアからの前記サーフボードの脱落を防止するようになったことを特徴とする自転車用サーフボードキャリア。
【手続補正２】
【補正対象書類名】明細書
【補正対象項目名】００１２
【補正方法】変更
【補正の内容】
【００１２】
上記目的を達成するために本考案に係る自転車用サーフボードキャリアは、
自転車に着脱自在に取付け可能な自転車用サーフボードキャリアであって、
サーフボード保持部と、前記サーフボード保持部を自転車のフレームの支柱部分に着脱自在に取り付け可能とする保持部固定ブラケットを有し、
前記サーフボード保持部は、第１のボード保持部と、当該第１のボード保持部に所定部分において溶接固定された第２のボード保持部を有し、
前記第１のボード保持部は、略Ｕ字型に折れ曲がった第１の折れ曲がり部と当該第１の折れ曲がり部の一端から直線状に延在する第１の延在部を有する第１の保持パイプと、前記第１の折れ曲がり部の周囲に被せられたサーフボード保持及び保護用の第１のボードクッション部を備え、かつ前記第１の折れ曲がり部の他端には先端にフックの付いたボード脱落防止用の第１のフック付きゴムコードが備わり、
前記第２のボード保持部は、略Ｕ字型に折れ曲がった第２の折れ曲がり部と当該第２の折れ曲がり部の一端から直線状に延在する第２の延在部を有する第２の保持パイプと、前記第２の折れ曲がり部の周囲に被せられたサーフボード保持及び保護用の第２のボードクッション部を備え、かつ前記第２の折れ曲がり部の他端には先端にフックの付いたボード脱落防止用の第２のフック付きゴムコードが備わり、
前記第１の延在部は、前記第２の延在部よりも長手方向に長くなっていると共に、前記第１の延在部の長手方向に沿ってその第１の折れ曲がり部側近傍の一部に前記第２の延在部が所定の溶接位置で溶接固定され、
前記第１の延在部の前記溶接位置よりも更に延在した部分の所定位置にボルト取り付け孔が形成され、
前記保持部固定ブラケットは、第１の保持ブラケットと第２の保持ブラケットを有し、締結ボルトを介して前記第１の保持ブラケットと前記第２の保持ブラケットを前記自転車のフレームの支柱部分に固定するようになっており、
前記第１の保持ブラケットには、前記第１の延在部を挿通する挿通孔が備わると共に、前記保持部固定ブラケットを前記自転車のフレームの支柱部分に固定したまま前記第１の保持ブラケットの挿通孔に前記第１の延在部を挿通した状態で前記第１の延在部を前記第１の保持ブラケットに蝶ネジで固定可能な蝶ネジねじ込み用メスネジ部が備わり、前記蝶ネジのねじ込みによって前記第１の延在部を前記保持部固定ブラケットに固定した状態で前記サーフボード保持部を前記自転車に取り付けると共に、前記蝶ネジのねじ込みの緩めによって前記第１の延在部を前記第１の保持ブラケットから引き抜き可能な状態で前記サーフボード保持部を前記自転車から取り外し可能になっており、
前記自転車用サーフボードキャリアを自転車に取り付けた状態で見て、サーフボードを横向きに立てた状態で前記第１のボード保持部の第１の折れ曲がり部及び前記第２のボード保持部の第２の折れ曲がり部によって前記サーフボードの下側側部及び表面並びに裏面を前記サーフボードの長手方向異なる位置で挟んだ状態で保持可能となっており、かつ前記第１のフック付きゴムコードのフックと前記第２のフック付きゴムコードのフックを各フック付きゴムコードの伸縮部分が前記自転車用サーフボードキャリアに取り付けられたサーフボードの上側側部を押さえながら所定位置に係合させた状態で前記自転車用サーフボードキャリアからの前記サーフボードの脱落を防止するようになったことを特徴としている。